(57)【特許請求の範囲】
【請求項１】
カメラ装置に対して本来装着不能な種類のレンズ装置を装着可能にするシステムカメラレンズアダプタであって、
前記レンズ装置のアイリスを調整可能なアイリスボリュームと、
前記カメラ装置との間で信号の送受信を行うための第１コネクタと、
前記レンズ装置との間で信号の送受信を行うための第２コネクタを備え、
前記カメラ装置からのアイリス制御電圧が第１コネクタを通じて前記システムカメラレンズアダプタに入力され、
前記カメラ装置からの前記アイリス制御電圧が第２コネクタから出力可能に構成され、
前記アイリスボリュームの操作によって変化するアイリス制御電圧が第２コネクタから出力可能に構成され、
前記レンズ装置は、第２コネクタから出力されたアイリス制御電圧に基づいてアイリス調整が行われるように構成される、システムカメラレンズアダプタ。
【請求項２】
前記カメラ装置以外の外部電源からの外部電力を前記システムカメラレンズアダプタに供給するための電源入力コネクタを備える、請求項１に記載のシステムカメラレンズアダプタ。
【請求項３】
前記外部電力を前記レンズ装置に供給可能に構成される、請求項２に記載のシステムカメラレンズアダプタ。
【請求項４】
前記レンズ装置のアイリスを調整可能なアイリスリモコンが接続可能なコネクタを備える、請求項１〜請求項３の何れか１つに記載のシステムカメラレンズアダプタ。
【請求項５】
前記アイリスリモコンが前記アイリスを粗調整可能に構成され、前記アイリスボリュームが前記アイリスを微調整可能に構成されている、請求項４に記載のシステムカメラレンズアダプタ。
【請求項６】
前記アイリスの調整を前記システムカメラレンズアダプタ側で行う第１モードと、前記アイリスの調整を前記カメラ装置側で行う第２モードを備え、
第１モードでは、前記カメラ装置からのアイリス制御電圧が無視され、前記アイリスボリュームの操作によって変化するアイリス制御電圧が第２コネクタから出力され、
第２モードでは、前記アイリスボリュームの操作によって変化するアイリス制御電圧が無視され、前記カメラ装置からのアイリス制御電圧が第２コネクタから出力される、請求項１〜請求項５の何れか１つに記載のシステムカメラレンズアダプタ。
【請求項７】
前記アイリスの粗調整を前記カメラ装置側で行い、前記アイリスの微調整をシステムカメラレンズアダプタ側で行う第３モードを備える、請求項６に記載のシステムカメラレンズアダプタ。
【請求項８】
識別子を含むポジション信号を入力するためのポジション信号入力コネクタと、
前記識別子に基づく表示を行うインジケータを備える、請求項１〜請求項７の何れか１つに記載のシステムカメラレンズアダプタ。
【請求項９】
前記レンズ装置からの信号に基づいて前記レンズ装置のズームの位置、フォーカスの位置、及びアイリスの値を表示するレンズ状態表示部を備える、請求項１〜請求項８の何れか１つに記載のシステムカメラレンズアダプタ。
【請求項１０】
前記レンズ装置のエクステンダーを使用するか否かを設定するスイッチを有する、請求項１〜請求項９の何れか１つに記載のシステムカメラレンズアダプタ。
【請求項１１】
前記カメラ装置が録画機能を備え、前記録画機能のＯＮ／ＯＦＦを切り替えるＲＥＣボタンと、前記録画機能のＯＮ／ＯＦＦ状態を示す録画状態表示部を備える、請求項１〜請求項１０の何れか１つに記載のシステムカメラレンズアダプタ。
【請求項１２】
複数のラインを含むインターカムの入力を受け付ける入力コネクタを有し、前記複数のラインを切り替える機能を有する、請求項１〜請求項１１の何れか１つに記載のシステムカメラレンズアダプタ。
【請求項１３】
カメラ装置に対して本来装着不能な種類のレンズ装置を装着可能にするシステムカメラレンズアダプタであって、
前記レンズ装置のアイリスを調整可能なアイリスボリュームを備え、
前記アイリスの調整を前記システムカメラレンズアダプタ側で行う第１モードと、前記アイリスの調整を前記カメラ装置側で行う第２モードと、前記アイリスの粗調整を前記カメラ装置側で行い、前記アイリスの微調整をシステムカメラレンズアダプタ側で行う第３モードを備える、システムカメラレンズアダプタ。
【発明の詳細な説明】
【技術分野】
【０００１】
本発明は、カメラ装置に対して本来装着不能な種類のレンズ装置を装着可能にするシステムカメラレンズアダプタに関する。
【背景技術】
【０００２】
テレビカメラには、主にスタジオ等で使用される大型のカメラ（ＥＦＰカメラ）と、主に取材などに携帯して使用される小型のカメラ（ＥＮＧカメラ）があり、ＥＦＰカメラには、箱型で大型のテレビレンズ（ＥＦＰレンズ）が装着され、ＥＮＧカメラには、小型のテレビレンズ（ＥＮＧレンズ）が装着されて使用される。
【０００３】
また、ＥＮＧカメラにＥＦＰレンズを装着して使用する場合も増えており、その場合には、ＥＮＧカメラとＥＦＰレンズとの間に機械的、電気的に双方を接続するためのアダプタ（システムカメラレンズアダプタ）が使用されている（例えば特許文献１参照）。
【０００４】
ところで、テレビカメラとテレビレンズとを電気的に接続するインターフェース（コネクタ）の仕樣として、ＥＦＰカメラとＥＦＰレンズとには、双方のマウント部に３６ピンのコネクタが設けられている。ＥＦＰカメラとＥＦＰレンズとの間では、そのコネクタを通じて信号伝送が行われるようになっている。
【０００５】
ＥＮＧカメラとＥＮＧレンズとでは、双方に１２ピンのコネクタが設けられており、ケーブルを通じてそれらのコネクタが接続されるようになっている。ＥＮＧカメラとＥＦＰレンズとの間においてもそれらのコネクタを通じて信号伝送が行われるようになっている。
【０００６】
このようなインターフェースの仕樣において、システムカメラレンズアダプタを介してＥＮＧカメラにＥＦＰレンズを装着する場合に、従来では、ＥＮＧカメラとＥＦＰレンズとの間での信号伝送をパラレル通信のみに限定すると共に、システムカメラレンズアダプタにおいて、ＥＮＧカメラのコネクタのパラレル通信に使用するピンと、そのパラレル通信に使用するピンに対応するＥＦＰレンズのコネクタのピンとを接続するようにしていた。
【先行技術文献】
【特許文献】
【０００７】
【特許文献１】特開平０７−２２５４２４号公報
【発明の概要】
【発明が解決しようとする課題】
【０００８】
ところで、ＥＦＰレンズのアイリス調整は、ＥＮＧカメラからのアイリス制御信号に基づいて行われる。ＥＮＧカメラには、通常、アイリス調整機能が備わっておらず、アイリス調整リモコンを装着することもできないようになっている。このため、ＥＦＰレンズのアイリス調整は、ＥＮＧカメラに接続されたＣＣＵ（カメラコントロールユニット）を用いて行われ、カメラマンがアイリス調整をできない仕様になっている。しかし、カメラマンが手元でアイリス調整を行いたい場合もある。
【０００９】
本発明はこのような事情に鑑みてなされたものであり、カメラマンが手元でアイリス調整を行うことを可能にするシステムカメラレンズアダプタを提供するものである。
【課題を解決するための手段】
【００１０】
本発明によれば、カメラ装置に対して本来装着不能な種類のレンズ装置を装着可能にするシステムカメラレンズアダプタであって、前記レンズ装置のアイリスを調整可能なアイリスボリュームを備える、システムカメラレンズアダプタ。システムカメラレンズアダプタが提供される。
【００１１】
本発明のシステムカメラレンズアダプタには、アイリスボリュームが設けられているので、別途ケーブルを接続することなく、カメラマンが手元でアイリス調整を行うことができる。
【００１２】
以下、本発明の種々の実施形態を例示する。以下に示す実施形態は互いに組み合わせ可能である。また、以下に示す実施形態中の特徴を実現する上で、アイリスボリュームが必須ではない特徴については、アイリスボリュームなしで、別観点の発明が独立して成立する。
好ましくは、前記カメラ装置以外の外部電源からの外部電力を前記システムカメラレンズアダプタに供給するための電源入力コネクタを備える。
好ましくは、前記外部電力を前記レンズ装置に供給可能に構成される。
好ましくは、前記レンズ装置のアイリスを調整可能なアイリスリモコンが接続可能なコネクタを備える。
好ましくは、前記アイリスリモコンが前記アイリスを粗調整可能に構成され、前記アイリスボリュームが前記アイリスを微調整可能に構成されている。
好ましくは、前記アイリスの調整を前記システムカメラレンズアダプタ側で行う第１モードと、前記アイリスの調整を前記カメラ装置側で行う第２モードを備える。
好ましくは、前記アイリスの粗調整を前記カメラ装置側で行い、前記アイリスの微調整をシステムカメラレンズアダプタ側で行う第３モードを備える。
好ましくは、ポジション信号を入力するためのポジション信号入力コネクタと、前記ポジション信号に基づく表示を行うインジケータを備える。
好ましくは、前記レンズ装置からの信号に基づいて前記レンズ装置のズームの位置、フォーカスの位置、及びアイリスの値を表示するレンズ状態表示部を備える。
好ましくは、前記レンズ装置のエクステンダーを使用するか否かを設定するスイッチを有する。
好ましくは、前記カメラ装置が録画機能を備え、前記録画機能のＯＮ／ＯＦＦを切り替えるＲＥＣボタンと、前記録画機能のＯＮ／ＯＦＦ状態を示す録画状態表示部を備える。
好ましくは、複数のラインを含むインターカムの入力を有し、前記複数のラインを切り替える機能を有する。
【図面の簡単な説明】
【００１３】
【図１】本発明の一実施形態のシステムカメラレンズアダプタ３６を用いて構成されたテレビカメラシステム３０の構成を示す概略側面図である。
【図２】図１のテレビカメラシステム３０での電気コネクタの接続態様を示した図である。
【図３】本発明の一実施形態のシステムカメラレンズアダプタ３６の構成を示す側面図である。
【図４】本発明の一実施形態のシステムカメラレンズアダプタ３６の構成を示す背面図である。
【発明を実施するための形態】
【００１４】
以下、図面を用いて本発明の実施形態について説明する。以下に示す実施形態中で示した各種特徴事項は、互いに組み合わせ可能である。また、各特徴事項について独立して発明が成立する。なお、以下の説明では、ＥＮＧカメラ３４にＥＦＰレンズ３２を組み合わせて用いる場合を例に挙げているが、本発明の別の種類のカメラ装置とレンズ装置に対しても適用可能である。例えば、本発明は、映画用のカメラにＥＦＰレンズを組み合わせて用いる場合にも適用可能である。特に、本発明は、ＣＣＵ無しではアイリス調整ができないようなカメラ装置とレンズ装置の組み合わせに好適に適用可能である。
【００１５】
図１は、本発明のシステムカメラレンズアダプタを用いて構成されるテレビカメラシステム３０の構成を示す外観側面図である。同図に示すテレビカメラシステム３０は、ＥＦＰレンズ３２、ＥＮＧカメラ３４、システムカメラレンズアダプタ３６を備えている。ＥＦＰレンズ３２は、主にスタジオ等で三脚に固定されて使用されるＥＦＰカメラ用のレンズ装置であり、箱型のケース内に撮影光学系（撮影レンズ）や制御回路等が搭載されている大型のレンズ装置である。ＥＦＰレンズ３２は、箱型レンズとも称される。ＥＦＰレンズ３２にはエクステンダーが内蔵されている。
【００１６】
ＥＮＧカメラ３４は、主に取材などに携帯され、カメラマンが肩等で支持して使用するカメラ装置であり、本来は同図のＥＦＰレンズではなく、小型のレンズ装置（ＥＮＧレンズ）が装着されて使用されるカメラ装置である。
【００１７】
アダプタ３６は、使用態様が異なるこれらのＥＦＰレンズ３２とＥＮＧカメラ３４とを装着して使用できるようにするためのアダプタであり、例えば、三脚上に固定される。アダプタ３６は、水平方向の基台部３８と、これに対して鉛直方向に立設された衝立部４０とを備えており、衝立部４０の前側（図中右側）にＥＦＰレンズ３２、後側（図中左側）にＥＮＧカメラ３４がそれぞれ固定されるようになっている。衝立部４０には図示しない開口部が設けられている。
【００１８】
また、ＥＦＰレンズ３２とＥＮＧカメラ３４とは、各種信号のやり取りが可能なようにアダプタ３６を介して電気的に接続されるようになっている。また、ＥＮＧカメラ３４とアダプタ３６の間で各種信号のやり取りが可能になっており、アダプタ３６とＥＦＰレンズ３２の間に各種信号のやり取りが可能になっている。
【００１９】
図２は、ＥＦＰレンズ３２とＥＮＧカメラ３４との間の電気コネクタの接続態様を示した図である。ＥＦＰレンズ３２の背面側にはカメラ装置（通常ではＥＦＰカメラ）との間で各種信号のやり取りを行うための３６ピンのコネクタ５０が設けられており、アダプタ３６の衝立部４０の前面には、そのコネクタ５０に連結可能な３６ピンのレンズ側コネクタ５２が設けられている。ＥＦＰレンズ３２をアダプタ３６に固定すると、それらのコネクタ５０，５２も直結されようになっている。
【００２０】
ＥＮＧカメラ３４にはレンズ装置（通常ではＥＮＧレンズ）との間で各種信号のやり取りを行うための１２ピンのコネクタ５４が設けられている。アダプタ３６の衝立部４０の背面側には、１２ピンのコネクタ５５が設けられている。コネクタ５４，５５は、ケーブル５６を介して接続されるようになっている。コネクタ５４，５５は、直結させてもよい。
【００２１】
図３〜図４は、それぞれ、アダプタ３６の詳細な構成を示す側面図及び背面図である。
【００２２】
アダプタ３６には、ＥＦＰレンズ３２のアイリスを調整可能なアイリスボリューム１が設けられている。本実施形態では、アイリスボリューム１は、回転式であるが、スライド式など別の形式のものであってもよい。アイリスボリューム１の操作によってアダプタ３６から出力されるアイリス制御電圧を変化させることができる。アイリス制御電圧は、コネクタ５０，５２を通じてＥＦＰレンズ３２に入力され、ＥＦＰレンズ３２では、入力されたアイリス制御電圧に基づいてアイリス調整が行われる。従来は、ＥＮＧカメラ３４のコネクタ５４から出力されたアイリス制御電圧がコネクタ５０に入力されることによってアイリス調整が行われていたが、カメラマンが手元でアイリス制御電圧を調整する方法が存在しておらず、ＥＮＧカメラ３４に接続されたＣＣＵ（カメラコントロールユニット）だけがＥＮＧカメラ３４から出力されるアイリス制御電圧を調整することができたため、カメラマンがアイリスを調整することができず、不便であった。本実施形態では、アダプタ３６に設けられたアイリスボリューム１を操作することによってアイリス制御電圧を調整することができるので、カメラマンが手元でＥＦＰレンズ３２のアイリスを調整することができる。
【００２３】
アダプタ３６には、アイリスリモコン（図示せず）が接続可能なコネクタ２０が設けられている。アイリスリモコンは、アイリス制御電圧を調整可能な機能を有するものであればその構成は限定されない。このような構成によれば、アダプタ３６から離れて位置にいてもアイリスリモコンを用いてＥＦＰレンズ３２のアイリス調整が可能になる。また、例えば、カメラマン以外の者がアイリスリモコンを用いてアイリスの粗調整を行い、カメラマンがアイリスボリューム１を用いてアイリスの微調整を行うことが可能になる。この場合、アイリスボリューム１を操作すると、アイリスリモコンによって設定されたアイリス制御電圧が増減されるように構成され、少し明るく・少し暗くという微調整をカメラマンが行うことができる。
【００２４】
アダプタ３６には、アイリス調整モード切替スイッチ２が設けられている。アイリス調整モード切替スイッチ２によってアイリス調整モードを切り替えることができる。アダプタ３６には３つのアイリス調整モードが備わっている。第１モードでは、アイリスの調整がアダプタ３６側で行われる。このモードでは、ＥＮＧカメラ３４のコネクタ５４からアダプタ３６に入力されているアイリス制御電圧が無視され、アイリスリモコン又はアイリスボリューム１を用いて設定されたアイリス制御電圧がＥＦＰレンズ３２に入力される。第２モードでは、アイリスリモコン又はアイリスボリューム１を用いて設定されたアイリス制御電圧が無視され、ＥＮＧカメラ３４のアイリスオートモードによって設定されたアイリス制御電圧又はＣＣＵで設定されたアイリス制御電圧がアダプタ３６を通じてＥＦＰレンズ３２に入力される。第３モードでは、アイリスの粗調整がＥＮＧカメラ３４側で行われ、アイリスの微調整がアダプタ３６側で行われる。第３モードでは、ＥＮＧカメラ３４側で設定されたアイリス制御電圧が、アイリスリモコン又はアイリスボリューム１の操作によって増減されるように構成されているので、少し明るく・少し暗くという微調整をカメラマンが行うことができる。さらに、アダプタ３６にはアイリスオート／マニュアルスイッチ８が設けられており、このスイッチを操作することによって、ＥＮＧカメラ３４のアイリスオートモードによってアイリス調整を行うか、アイリスリモコン又はアイリスボリューム１を用いてマニュアルでアイリス調整を行うかを切り替えることができる。
【００２５】
従来は、ＥＦＰレンズ３２は、ＥＮＧカメラ３４から給電されて動作していた。しかし、近年、電力消費量が大きい高倍率のＥＦＰレンズ３２が現れ、ＥＮＧカメラ３４からの給電ではＥＦＰレンズ３２を駆動できない場合が出てきた。そこで、本実施形態では、アダプタ３６に電源入力コネクタ３を設け、電源入力コネクタ３に電源ケーブルを接続することによって、アダプタ３６に対してＥＮＧカメラ３４以外の外部電源（バッテリなど）からの外部電力を供給できるようになっている。この場合、外部電力を用いて、ＥＦＰレンズ３２を駆動することができるので、電力不足に伴う動作不良の問題を回避することができる。アダプタ３６からＥＦＰレンズ３２への給電は、コネクタ５０，５２を通じて行うことができる。
【００２６】
電源入力コネクタ３に外部電源を接続しない場合には、ＥＮＧカメラ３４のコネクタ５４を通じて、ＥＮＧカメラ３４からアダプタ３６に給電することができる。また、アダプタ３６には電源切替スイッチ４が設けられており、電源切替スイッチ４を操作することによって、ＥＮＧカメラ３４からの電力をＥＦＰレンズ３２に給電するか、外部電源からの電力をＥＦＰレンズ３２に給電するのかを切り替えることができる。
【００２７】
アダプタ３６には、ポジション信号入力コネクタ１７が設けられており、ポジション信号入力コネクタ１７にはポジション信号ケーブルの一端が接続される。ポジション信号ケーブルの他端は、ビデオスイッチャーに接続されており、ポジション信号がポジション信号ケーブルを通じてビデオスイッチャーからアダプタ３６に入力される。ポジション信号は、識別子（例：ＩＤ番号）を含み、発光色情報（赤、緑など）を含ませてもよい。アダプタ３６には、スイッチャーセレクトポジションインジケータ１４が設けられている。インジケータ１４は、ポジション信号に基づく表示を行う表示部として機能する。例えば、ポジション信号中の発光色情報が赤であり、且つ識別子が「２」である場合は、インジケータ１４の２番が赤色に点灯される。これは、ビデオスイッチャーが２番のビデオカメラの映像を現在選択していることを示している。また、ポジション信号中の発光色情報が緑であり、且つ識別子が「６」である場合は、インジケータ１４の６番が緑色に点灯される。これは、ビデオスイッチャーが６番のビデオカメラの映像を次に選択する予定であることを示している。このように、インジケータ１４を見るだけで、ビデオスイッチャーが現在又は次に選択するビデオカメラを知ることができる。また、アダプタ３６には、ポジション指定スイッチ１５が設けられている。本実施形態では、ポジション指定スイッチ１５は、８つの押しボタンスイッチで構成されており、ポジション指定スイッチ１５を用いて自分のビデオカメラの識別子を指定することができる。図４では、３番が指定されている状態を図示している。
【００２８】
アダプタ３６には、図示しないタリーランプが例えば衝立部４０に設置可能である。アダプタ３６にはタリー入力コネクタ５及びタリー出力コネクタ６が設けられている。タリー入力コネクタ５に入力されたタリー信号は、そのままタリー出力コネクタ６から出力される。タリー出力コネクタ６から出力されたタリー信号は、タリーランプに入力される。タリーランプは、タリー信号に基づいて点灯する。タリーランプは、タリー信号の電圧に基づいて発光色が変化するように構成されており、例えば、タリー信号の電圧が２〜４Ｖの場合に緑色に点灯させ、タリー信号の電圧が５Ｖ以上の場合に赤色に点灯する。さらに、アダプタ３６には、接点切替スイッチ７が設けられている。スイッチ７を操作することによって、メイク接点タイプと電圧接点タイプの入力を切り替えることができる。
【００２９】
アダプタ３６には、ＥＦＰレンズ３２からの信号に基づいてＥＦＰレンズ３２のズームの位置、フォーカスの位置、及びアイリスの値を表示するレンズ状態表示部９を備える。具体的には、ＥＦＰレンズ３２のコネクタ５０には、ＥＦＰレンズ３２のズームの位置、フォーカスの位置、及びアイリスの値に対応した送り返し電圧が出力されるピンがあり、レンズ状態表示部９は、この電圧の値に基づいてＥＦＰレンズ３２のズームの位置、フォーカスの位置、及びアイリスの値を表示する。ＥＮＧカメラ３４の１２ピンコネクタには、上記の送り返し電圧に割り当てられたピンが存在していないので、特許文献１のように、ＥＮＧカメラ３４の１２ピンコネクタとＥＦＰレンズ３２の３６ピンコネクタを接続する場合、上記送り返し電圧は、ＥＮＧカメラ３４には入力されない。このため、ＥＦＰレンズ３２の出力に基づいてズームの位置、フォーカスの位置、及びアイリスの値を表示させることは不可能であった。一方、本実施形態では、アダプタ３６にレンズ状態表示部９を設けることによって、ＥＦＰレンズ３２の出力に基づいてズームの位置、フォーカスの位置、及びアイリスの値を表示させることが可能になっている。
【００３０】
アダプタ３６には、エクステンダー設定スイッチ１３が設けられている。このスイッチ１３を操作することによって、ＥＦＰレンズ３２に内蔵されているエクステンダーを使用するか否かを設定することができる。
【００３１】
アダプタ３６には、ＲＥＣボタン１０が設けられている。ＲＥＣボタン１０を押すことによってＥＮＧカメラ３４の録画機能のＯＮ／ＯＦＦを切り替えることができる。また、ＥＮＧカメラ３４の録画機能がＯＮになっている間にＲＥＣボタン１０を点灯させることによって、ＥＮＧカメラ３４の録画機能のＯＮ／ＯＦＦ状態を表示させることができる。録画機能を有するＥＮＧカメラ３４には、カメラ自体にＲＥＣボタンがついているが、ＲＥＣボタンがカメラのレンズ側の面に設けられている場合、カメラをアダプタ３６に装着した状態では、カメラと衝立部４０の間の隙間が狭すぎてカメラのＲＥＣボタンを押せない又は押しにくい場合がある。しかし、本実施形態では、アダプタ３６にＲＥＣボタンが設けられているので、ＥＮＧカメラ３４の録画機能を容易にＯＮ／ＯＦＦさせることができる。録画機能のＯＮ／ＯＦＦ信号は、１２ピンコネクタ５４，５５を通じてアダプタ３６からＥＮＧカメラ３４に入力される。
【００３２】
アダプタ３６には、ＥＮＧライン用のインターカム入力コネクタ１１と、プロデューサライン用のインターカム入力コネクタ１２と、インカムヘッドセット端子１８と、インカム変更スイッチ１６が設けられている。インカム変更スイッチ１６を用いて使用するラインを切り替えることが可能である。
【００３３】
アダプタ３６には、ビューファインダー取付部２１が設けられている。ビューファインダー取付部２１にビューファインダー（図示せず）を装着することができる。ＥＮＧカメラ３４には、伝送装置を装着することができ、ＥＮＧカメラ３４で撮影した映像をビデオスイッチャーに伝送したり、ビデオスイッチャーからのリターン映像を受け取ったりすることができる。撮影した映像又はリターン映像は、ビューファインダーに表示させることができる。なお、ＥＮＧカメラ３４をビデオスイッチャーに接続せずに、スタンドアロンで用いてもよい。この場合、撮影した映像は、ＥＮＧカメラ３４に内蔵の記憶装置に録画することができる。
【符号の説明】
【００３４】
１：アイリスボリューム
２：アイリス調整モード切替スイッチ
３：電源入力コネクタ
４：電源切替スイッチ
５：タリー入力コネクタ
６：タリー出力コネクタ
７：接点切替スイッチ
８：アイリスオート／マニュアルスイッチ
９：レンズ状態表示部
１０：ＲＥＣボタン
１１：ＥＮＧライン用のインターカム入力コネクタ
１２：プロデューサライン用のインターカム入力コネクタ
１３：エクステンダー設定スイッチ
１４：スイッチャーセレクトポジションインジケータ
１５：ポジション指定スイッチ
１６：インカム変更スイッチ
１７：ポジション信号入力コネクタ
１８：インカムヘッドセット端子
２０：コネクタ
３０：テレビカメラシステム
３２：ＥＦＰレンズ
３４：ＥＮＧカメラ
３６：アダプタ
３８：基台部
４０：衝立部
５０：コネクタ
５２：コネクタ
５４：コネクタ
５５：コネクタ
５６：ケーブル
【要約】
【課題】カメラマンが手元でアイリス調整を行うことを可能にするシステムカメラレンズアダプタを提供する。
【解決手段】本発明によれば、カメラ装置に対して本来装着不能な種類のレンズ装置を装着可能にするシステムカメラレンズアダプタであって、前記レンズ装置のアイリスを調整可能なアイリスボリュームを備える、システムカメラレンズアダプタ。システムカメラレンズアダプタが提供される。
【選択図】図１【図１】
0005873207.tif 000002
【図２】
0005873207.tif 000003
【図３】
0005873207.tif 000004
【図４】
0005873207.tif 000005